(57)【要約】      （修正有）【課題】浴槽の側壁への取り付け作業と浴槽の側壁からの取り外し作業とを安全に、容易に行うことが可能な浴槽用手摺りを提供する。【解決手段】固定フレーム１１０と可動フレーム１２０は浴槽の側壁に配置される。円形孔は可動フレーム１２０の裏面に形成される。スライド係止／解除手段１４０は、凸部を含む円柱と、可動フレーム１２０の表面１２３側に配置される操作部１４３と、円柱と操作部１４３とを連結する連結部と、円柱を円形孔へ係合させるように付勢するバネとを含む。操作部１４３がバネによる付勢に抗して押し込まれると円柱が円形孔から離間される。円形孔から離間された円柱は室に収容される。スライド係止／解除手段１４０は、固定フレーム１１０に取り付けられている。円形孔と円柱との接触面は鉛直面を含む。【選択図】図２
2015223438.tif 000002
【特許請求の範囲】
【請求項１】
浴槽の側壁に配置される固定フレームと、
前記固定フレームへスライド可能に取り付けられ、そして前記固定フレームと反対側の浴槽の側壁に配置される可動フレームと、
凹部又は凸部を含み、前記可動フレームの裏面に形成された第１の係合部と、そして、
凸部又は凹部を含み、前記第１の係合部と対向する位置に配置される第２の係合部と、
前記可動フレームの表面側に配置されて使用者が操作するための操作部と、
前記第２の係合部と前記操作部とを連結する連結部と、そして
前記第２の係合部を前記第１の係合部へ係合させるように付勢する付勢手段とを含み、
前記操作部が前記付勢手段による付勢に抗して可動フレームに向かって押し込まれることにより前記第２の係合部が前記第１の係合部から離間されるように構成された、前記固定フレームへ取り付けられたスライド係止／解除手段と、
少なくとも前記操作部が前記付勢手段に抗して押し込まれるときに前記第２の係合部が収容される室とを備え、
前記第１の係合部と前記第２の係合部との接触面は、前記可動フレームの裏面に直交する面であり、かつ、前記可動フレームのスライド方向に非平行である面を含む、浴槽用手摺り。
【請求項２】
前記第１の係合部の凹部又は凸部において前記第２の係合部に接触する面と、前記第２の係合部の凸部又は凹部において前記第１の係合部に接触する面とは、円筒の側周面形状を有する、請求項１に記載の浴槽用手摺り。
【請求項３】
前記第２の係合部は円柱形状の凸部を含み、前記第１の係合部は前記第２の係合部の凸部を受容する円筒の側周面形状の凹部を含む、請求項２に記載の浴槽用手摺り。
【請求項４】
前記第１の係合部の凹部は、底を有する、請求項３に記載の浴槽用手摺り。
【請求項５】
前記第２の係合部の凸部は、フランジを有する、請求項３に記載の浴槽用手摺り。
【請求項６】
前記可動フレームは、表裏面を貫通してスライド方向に延びたスリットを備え、前記連結部は、前記スリットを通って前記第２の係合部と前記操作部とを連結している、請求項１から請求項５までのいずれか１項に記載の浴槽用手摺り。
【請求項７】
前記スリットは、その周縁が閉じている開口である、請求項６に記載の浴槽用手摺り。
【請求項８】
前記可動フレームは、前記第１の係合部および／または前記第２の係合部を挟むようにスライド方向に沿って配置される２つの可動側脚部を含み、
前記室は、前記可動フレームにおいて前記第１の係合部が形成されている面と、前記可動側脚部と、前記固定フレームにおいて前記第１の係合部に対向する面とによって囲まれている、請求項１から請求項７までのいずれか１項に記載の浴槽用手摺り。
【請求項９】
前記固定フレームは、前記第１の係合部および／または前記第２の係合部を挟むようにスライド方向に沿って配置される２つの固定側脚部を含み、
前記室は、前記可動フレームにおいて前記第１の係合部が形成されている面と、前記固定側脚部と、前記固定フレームにおいて前記第１の係合部に対向する面とによって囲まれている、請求項１から請求項７までのいずれか１項に記載の浴槽用手摺り。
【請求項１０】
前記固定フレームは、スライド方向に沿って前記第１の係合部および／または前記第２の係合部を挟むように配置される２つの固定側脚部を含み、
前記可動フレームは、スライド方向に沿って前記第１の係合部および／または前記第２の係合部を挟むように配置される２つの可動側脚部を含み、
前記室は、前記可動フレームにおいて前記第１の係合部が形成されている面と、前記可動側脚部および／または前記固定側脚部と、前記固定フレームにおいて前記第１の係合部に対向する面とによって囲まれている、請求項１から請求項７までのいずれか１項に記載の浴槽用手摺り。
【請求項１１】
２つの前記可動側脚部は、２つの前記固定側脚部を挟むように配置されている、請求項１０に記載の浴槽用手摺り。
【請求項１２】
２つの前記可動側脚部の内側の面は、２つの前記固定側脚部の外側の面に摺接するように配置されている、請求項１０に記載の浴槽用手摺り。
【請求項１３】
前記固定フレームは、前記第１の係合部および／または前記第２の係合部を挟むようにスライド方向に沿って配置される固定側脚部を含み、
前記固定側脚部は、前記第１の係合部に対向する位置に開口部を有し、
前記室は、前記可動フレームにおいて前記第１の係合部が形成されている面と、前記開口部の内壁面と、前記固定フレームにおいて前記第１の係合部に対向する面とによって囲まれている、請求項１から請求項７までのいずれか１項に記載の浴槽用手摺り。
【請求項１４】
前記可動フレームは、スライド方向に沿って前記固定側脚部を挟むように配置される２つの可動側脚部を含み、
前記室は、前記可動フレームにおいて前記第１の係合部が形成されている面と、前記可動側脚部および／または前記固定側脚部と、前記固定フレームにおいて前記第１の係合部に対向する面とによって囲まれている、請求項１３に記載の浴槽用手摺り。
【請求項１５】
２つの前記可動側脚部の内側の面は、前記固定側脚部の外側の面に摺接するように配置されている、請求項１４に記載の浴槽用手摺り。
【請求項１６】
前記固定側脚部は、可動フレームのスライド方向と平行な方向に延びた補強リブである、請求項９から請求項１５までのいずれか１項に記載の浴槽用手摺り。
【発明の詳細な説明】
【技術分野】
【０００１】
本発明は、一般的には浴槽用手摺りに関し、特定的には、浴槽に着脱可能に取り付けられる浴槽用手摺りに関する。
【背景技術】
【０００２】
従来、浴槽の側壁に着脱可能に取り付けられる浴槽用手摺りがある。例えば、特開２０１０−２４６６９１号公報（特許文献１）には、浴槽の側壁の上端部に取り付けて使用される浴槽用手摺りが記載されている。この浴槽用手摺りを使用するときには、まず、側片が浴槽の外側に位置するように本体具を側壁の上端部に被せて配置し、押圧具の押圧板を側壁の浴槽外の面に、押圧受け具の押圧受け板を側壁の浴槽内の面に、それぞれ対向させる。そして一対の押圧受け具のスライド片を本体具の差込穴の奥へとスライドさせることによって、各押圧受け具の押圧受け板を移動させ、側壁の浴槽内の面に押圧受け板の滑り止めシートを貼った外面を当接させるものである。
【０００３】
特許文献１の浴槽用手摺りでは、押圧受け具のスライド片には係合溝が設けられ、本体具にはラッチ爪が設けられている。ラッチ爪は、スライド片に向かって付勢されて、係合溝と係合している。ラッチ爪にはスライド傾斜面が形成され、係合溝には傾斜面が形成されている。ラッチ爪のスライド傾斜面と係合溝の傾斜面とは、スライド片を差込穴の奥へスライドさせる方向で対面している。スライド片を差込穴の奥へ押し込む力をかけることによって、係合溝の傾斜面でラッチ爪のスライド傾斜面が押され、ラッチ爪が係合溝から抜ける。このためスライド片を差込穴の奥へ押し込む方向に力をかけることによって、大きな抵抗なく押圧受け具をスライドさせることができる。
【０００４】
また、特開２０１３−５２２０７号公報（特許文献２）には、幅調整手段を備える浴槽用手摺りが記載されている。この浴槽用手摺りでは、Ｌ字状の本体に、Ｌ字形状のスライド体が挿入され、嵌合してスライドする。本体の上部には、裏面にロックピンを有する蓋体が設けられている。スライド体を押し込むだけでロックピンがスライド体の係合孔と係合してロックされ、蓋体を開けることによりロックピンが係合孔から離脱してロックが解除されるものである。
【０００５】
ロックピンはバネで付勢され、ロックピンの先端には傾斜が形成されている。スライド体を本体の嵌合部に挿入して押し込むと、スライド片の先端がロックピンの傾斜面に当接し、ロックピンがバネの付勢に逆らって上方に押し上げられ、スライド体が前進する。
【０００６】
国際公開第ＷＯ  ２０１３／１１４６１０号（特許文献３）には、固定フレームと可動フレームが帯歯で係合されている浴槽用手摺りが記載されている。帯歯は可動フレームの前進を許可する傾斜面を有し、可動フレームを浴槽壁面に近づけるようにスライドさせる時には、可動フレームの帯歯の傾斜面が固定フレームの帯歯の傾斜面上を滑る。そのため、使用者は、可動フレームを浴槽壁面に近づけるようにスライドさせる時には、グリップを握って可動フレームを動かせばよく、例えばスライドの停止を解除するような別の動作が必要ない。
【先行技術文献】
【特許文献】
【０００７】
【特許文献１】特開２０１０−２４６６９１号公報
【特許文献２】特開２０１３−５２２０７号公報
【特許文献３】国際公開第ＷＯ  ２０１３／１１４６１０号
【発明の概要】
【発明が解決しようとする課題】
【０００８】
しかしながら、特許文献１に記載の浴槽用手摺りでは、繰り返し使用していると、スライド片の係合溝またはラッチ具が摩耗して削れてしまうおそれがある。また、特許文献２の浴槽用手すりでも、繰り返し使用している間にスライド片の係合孔またはロックピンが摩耗して削れてしまうおそれがある。特許文献３の浴槽用手摺りでも、同様に、繰り返し使用することによって、可動フレームと固定フレームの凹部、凸部が摩耗して削れてしまうおそれがある。
【０００９】
さらに、特許文献１〜３のいずれの浴槽用手摺りでも、ロックピンの先端部等に傾斜面が形成されているため、誤って可動フレームを奥まで挿入してしまうことがある。
【００１０】
そこで、この発明の目的は、浴槽の側壁の厚みに合わせて固定することが容易であって、浴槽の側壁への取り付け作業と浴槽の側壁からの取り外し作業とを安全に、容易に行うことが可能な浴槽用手摺りを提供することである。
【課題を解決するための手段】
【００１１】
本発明の浴槽用手摺りは、浴槽の側壁に配置される固定フレームと、固定フレームへスライド可能に取り付けられ、そして固定フレームと反対側の浴槽の側壁に配置される可動フレームと、第１の係合部と、スライド係止／解除手段と、室とを備える。
【００１２】
第１の係合部は、凹部又は凸部を含み、可動フレームの裏面に形成される。
【００１３】
スライド係止／解除手段は、第２の係合部と、操作部と、連結部と、付勢手段とを含む。第２の係合部は、凸部又は凹部を含み、第１の係合部と対向する位置に配置される。操作部は、可動フレームの表面側に配置されて使用者が操作する。連結部は、第２の係合部と操作部とを連結する。付勢手段は、第２の係合部を第１の係合部へ係合させるように付勢する。スライド係止／解除手段は、操作部が付勢手段による付勢に抗して可動フレームに向かって押し込まれることにより第２の係合部が第１の係合部から離間されるように構成されている。
【００１４】
室は、少なくとも操作部が付勢手段に抗して押し込まれるときに第２の係合部が収容される。
【００１５】
第１の係合部と第２の係合部との接触面は、可動フレームの裏面に直交する面であり、かつ、可動フレームのスライド方向に非平行である面を含む。
【００１６】
以下、可動フレームの裏面とは、可動フレームと固定フレームとを組み付けたときに外部に露出せず一般的に使用者が接触しない面、すなわち、可動フレームのうち、上述の室の境界面を形成する面をいう。可動フレームの表面とは、可動フレームの厚み方向において可動フレームの裏面と反対側の位置に形成されている面をいう。また、可動フレームが浴槽壁面に近付く方向に移動することを、可動フレームの前進といい、可動フレームが浴槽壁面から遠ざかる方向に移動することを、可動フレームの後退という。
【００１７】
上述のように、可動フレームの裏面には、凹部又は凸部を含む第１の係合部が形成されている。第１の係合部は、固定フレームに取り付けられるスライド係止／解除手段の第２の係合部に対向する。第２の係合部には凸部又は凹部が形成されている。
【００１８】
第２の係合部は、付勢手段によって、第１の係合部へ係合されるように付勢されている。使用者が操作部を操作して、付勢手段による付勢に抗してスライド係止／解除手段を押し込むと、第２の係合部が第１の係合部から離間される。第１の係合部から離間された第２の係合部は、室内に収容される。
【００１９】
スライド係止／解除手段の第２の係合部は、可動フレームの裏面と固定フレームとの間に配置されている。第２の係合部は、連結部によって可動フレームの表面側に配置された操作部と連結されているので、使用者は可動フレームの表面側から操作部を操作して、可動フレームの裏面側の第２の係合部を第１の係合部から離間することができる。このようにして、可動フレームの裏面に形成された第１の係合部または第２の係合部に使用者が触れることを防ぐことができる。
【００２０】
また、第１の係合部と第２の係合部との接触面は、可動フレームの裏面に直交する面であり、かつ、可動フレームのスライド方向に非平行である面を含むので、使用者が操作部を操作して、付勢手段による付勢に抗してスライド係止／解除手段を押し込み、可動フレームの裏面側の第２の係合部を第１の係合部から離間しない限り、第１の係合部と第２の係合部が可動フレームのスライド方向に非平行な面内で接触し、可動フレームのスライドを妨げる。このようにして、可動フレームが不用意にスライドされることを防ぐことができる。
【００２１】
使用者は、可動フレームを浴槽の壁面に近づける時にも、浴槽の壁面から遠ざける時にも、操作部を操作して付勢手段による付勢に抗してスライド係止／解除手段を押し込むことで可動フレームをスライドさせることができる。このように、同じ操作で可動フレームをいずれの方向にもスライドさせることができるので、操作が容易である。
【００２２】
この発明に従った浴槽用手摺りは、第１の係合部の凹部又は凸部において第２の係合部に接触する面と、第２の係合部の凸部又は凹部において第１の係合部に接触する面とは、円筒の側周面形状を有することが好ましい。
【００２３】
この発明に従った浴槽用手摺りにおいては、第２の係合部は円柱形状の凸部を含み、第１の係合部は第２の係合部の凸部を受容する円筒の側周面形状の凹部を含むことが好ましい。
【００２４】
この発明に従った浴槽用手摺りにおいては、第１の係合部の凹部は、底を有することが好ましい。
【００２５】
この発明に従った浴槽用手摺りにおいては、第２の係合部の凸部は、フランジを有することが好ましい。
【００２６】
この発明に従った浴槽用手摺りにおいては、可動フレームは、表裏面を貫通してスライド方向に延びたスリットを備え、連結部は、スリットを通って第２の係合部と操作部とを連結していることが好ましい。
【００２７】
この発明に従った浴槽用手摺りにおいては、スリットは、その周縁が閉じている開口であることが好ましい。
【００２８】
この発明に従った浴槽用手摺りにおいては、可動フレームは、第１の係合部および／または第２の係合部を挟むようにスライド方向に沿って配置される２つの可動側脚部を含み、室は、可動フレームにおいて第１の係合部が形成されている面と、可動側脚部と、固定フレームにおいて第１の係合部に対向する面とによって囲まれていることが好ましい。
【００２９】
この発明に従った浴槽用手摺りにおいては、固定フレームは、第１の係合部および／または第２の係合部を挟むようにスライド方向に沿って配置される２つの固定側脚部を含み、室は、可動フレームにおいて第１の係合部が形成されている面と、固定側脚部と、固定フレームにおいて第１の係合部に対向する面とによって囲まれていることが好ましい。
【００３０】
この発明に従った浴槽用手摺りにおいては、固定フレームは、スライド方向に沿って第１の係合部および／または第２の係合部を挟むように配置される２つの固定側脚部を含み、可動フレームは、スライド方向に沿って第１の係合部および／または第２の係合部を挟むように配置される２つの可動側脚部を含み、室は、可動フレームにおいて第１の係合部が形成されている面と、可動側脚部および／または固定側脚部と、固定フレームにおいて第１の係合部に対向する面とによって囲まれていることが好ましい。
【００３１】
この発明に従った浴槽用手摺りにおいては、２つの可動側脚部は、２つの固定側脚部を挟むように配置されていることが好ましい。
【００３２】
この発明に従った浴槽用手摺りにおいては、２つの可動側脚部の内側の面は、２つの固定側脚部の外側の面に摺接するように配置されていることが好ましい。
【００３３】
この発明に従った浴槽用手摺りにおいては、固定フレームは、第１の係合部および／または第２の係合部を挟むようにスライド方向に沿って配置される固定側脚部を含み、固定側脚部は、第１の係合部に対向する位置に開口部を有し、室は、可動フレームにおいて第１の係合部が形成されている面と、開口部の内壁面と、固定フレームにおいて第１の係合部に対向する面とによって囲まれていることが好ましい。
【００３４】
この発明に従った浴槽用手摺りにおいては、可動フレームは、スライド方向に沿って固定側脚部を挟むように配置される２つの可動側脚部を含み、室は、可動フレームにおいて第１の係合部が形成されている面と、可動側脚部および／または固定側脚部と、固定フレームにおいて第１の係合部に対向する面とによって囲まれていることが好ましい。
【００３５】
この発明に従った浴槽用手摺りにおいては、２つの可動側脚部の内側の面は、１つの固定側脚部の外側の面に摺接するように配置されていることが好ましい。
【００３６】
この発明に従った浴槽用手摺りにおいては、固定側脚部は、可動フレームのスライド方向と平行な方向に延びた補強リブであることが好ましい。
【発明の効果】
【００３７】
この発明によれば、浴槽の側壁の厚みに合わせて固定することが容易であって、浴槽の側壁への取り付け作業と浴槽の側壁からの取り外し作業とを安全に、容易に行うことが可能な浴槽用手摺りを提供することができる。
【図面の簡単な説明】
【００３８】
【図１】第１実施形態の浴槽用手摺りの全体を示す斜視図である。
【図２】第１実施形態の浴槽用手摺りの本体カバーを外したときの固定フレームと可動フレームとスライド係止／解除手段の全体を示す斜視図である。
【図３】図２に示す固定フレームと可動フレームとスライド係止／解除手段の構成部材を示す分解斜視図である。
【図４】可動フレームの裏面を示す斜視図である。
【図５】第１実施形態の浴槽用手摺りの全体の断面を示す図である。
【図６】第１実施形態の浴槽用手摺りのスライド係止／解除手段の周辺の断面を拡大して示す図である。
【図７】第１実施形態の浴槽用手摺りを図２に示すＶＩＩ−ＶＩＩ線の方向から見た断面図である。
【図８】図６に示すスライド係止／解除部材において、係止を解除したときの状態を示す図である。
【図９】図６に示すスライド係止／解除部材において、操作部をロックしたときの状態を示す図である。
【図１０】第２実施形態の浴槽用手摺りの固定フレームと可動フレームとスライド係止／解除手段の構成部材を示す分解斜視図である。
【図１１】第２実施形態の浴槽用手摺りについて、スライド係止／解除部材によって可動フレームが係止されている状態の断面を示す図である。
【図１２】第３実施形態の浴槽用手摺りの固定フレームと可動フレームとスライド係止／解除手段の構成部材を示す分解斜視図である。
【図１３】第３実施形態の浴槽用手摺りについて、スライド係止／解除部材によって可動フレームが係止されている状態の断面を示す図である。
【発明を実施するための形態】
【００３９】
以下、本発明の実施の形態を図面に基づいて説明する。
【００４０】
（第１実施形態）
図１に示すように、本発明の第１実施形態の浴槽用手摺り１は、主に、本体１００と、本体１００に支持される上部グリップ１０２とを備える。本体１００はカバー１０１に覆われている。カバー１０１の上面には、後に詳述する操作部１４３が露出している。本体１００は、固定フレーム１１０と可動フレーム１２０と、後述するスライド係止／解除手段とを含む。固定フレーム１１０には固定押圧板１０４とハンドルノブ１０７が取り付けられている。可動フレーム１２０には可動押圧板１０５と側部グリップ１６０が取り付けられている。固定押圧板１０４と可動押圧板１０５は、それぞれ、浴槽用手摺り１が浴槽の側壁に設置されたとき、浴槽の側壁に対向するように配置される。上部グリップ１０２は支柱１０３に固着されている。上部グリップ１０２は、支柱１０３の一部が本体１００内に収容されることによって、本体１００によって支持される。
【００４１】
図１から図３に示すように、固定フレーム１１０はＬ字形状に形成されており、水平部１１１と鉛直部１１２とを含む。本体１００が浴槽の側壁に取り付けられた状態で、水平部１１１は水平面内に延在し、鉛直部１１２は水平部１１１の端部から下向きに延びて、鉛直面内に延在する。フレーム支持部材１０６は、固定フレーム１１０の鉛直部１１２の外側面を覆うように取り付けられている。フレーム支持部材１０６には、上部グリップ１０２を収容する貫通孔が形成されている。固定押圧板１０４は、固定フレーム１１０の鉛直部１１２の内側面１１２ａから突出するように取り付けられている。ハンドルノブ１０７は、フレーム支持部材１０６に取り付けられている。ハンドルノブ１０７と固定押圧板１０４とはボルト軸によって連結されている。ハンドルノブ１０７を回動させることによって、ハンドルノブ１０７からボルト軸に回動力が伝達され、固定押圧板１０４平面に直交する方向に沿って、固定押圧板１０４が前進後退される。
【００４２】
固定フレーム１１０の水平部１１１の上面には４本の補強リブ１５１が形成されている。補強リブ１５１の上面には、固定プレート１５２が取り付けられている。補強リブ１５１は、固定押圧板１０４平面に直交する方向に沿って延びている。この実施形態においては、４本の補強リブ１５１は互いに平行に形成されている。固定プレート１５２は、板状に形成されており、４本の補強リブ１５１のうち、内側の２本の補強リブ１５１の間にわたされて、補強リブ１５１上に固定されている。補強リブ１５１によって、固定プレート１５２の下面と水平部１１１の上面とは離間されている。固定プレート１５２には、固定プレート１５２の上面と下面とを貫通する貫通孔１５３が形成されている。内側の２本の補強リブ１５１の間には、後述するスライド係止／解除手段１４０の円柱１４１を収容するための孔１１１ａが形成されている。
【００４３】
図１から図４に示すように、可動フレーム１２０はＬ字形状に形成されており、水平部１２１と鉛直部１２２とを含む。本体１００が浴槽の側壁に取り付けられた状態で、水平部１２１は水平面内に延在し、鉛直部１２２は水平部１２１の端部から下向きに延びて、鉛直面内に延在する。可動押圧板１０５は、可動フレーム１２０の鉛直部１２２の内側面１２２ａから突出するように可動フレーム１２０に取り付けられている。側部グリップ１６０は、可動フレーム１２０の鉛直部１２２の外側面１２２ｂから突出するように可動フレーム１２０に取り付けられている。可動フレーム１２０の水平部１２１には、スリット１２５が形成されている。スリット１２５は、水平部１２１の表面１２３と裏面１２４とを貫通する孔である。
【００４４】
可動フレーム１２０の水平部１２１の裏面１２４には、第１の係合部の一例として、複数の凹部として円形孔１３０が形成されている。複数の円形孔１３０は、可動フレームが延びる方向に沿って並べられている。円形孔１３０の内周面は鉛直方向、すなわち、可動フレーム１２０のスライド方向に直交する方向に延びている。また、円形孔１３０には可動フレーム１２０の水平部１２１によって底が形成されており、底にスリット１２５が形成されている。円形孔１３０は、円形孔１３０の他、可動フレーム１２０の水平部１２１に直接、形成された凹凸や多角形状の孔であってもよいし、可動フレーム１２０とは別個に形成され、水平部１２１の裏面１２４に取り付けられたものであってもよい。なお、複数の孔が並べられる間隔は特に限定されない。この実施形態においては、円形孔１３０は、周の一部が互いに重なり合って連続して形成されている。そのため、それぞれの円形孔１３０は真円形状ではない。円形孔１３０は、分離して形成され、それぞれが真円形状に形成されていてもよい。
【００４５】
可動フレーム１２０の水平部１２１の裏面１２４からは２つの可動側脚部１２６が突出している。可動側脚部１２６は、水平部１２１において、鉛直部１２２の平面に直交する方向に沿って延びる端部を下向きに折り返したような形状に形成されている。２つの可動側脚部１２６は間隔を空けて形成され、それぞれ、鉛直部１２２に直交する方向に沿って、すなわち、水平部１２１が延びる方向に沿って延びている。
【００４６】
固定フレーム１１０と可動フレーム１２０は、固定押圧板１０４と可動押圧板１０５が浴槽の側壁（図示しない）を挟んで対向し、固定フレーム１１０の水平部１１１と可動フレーム１２０の水平部１２１が対向するように配置される。可動フレーム１２０の水平部１２１は、固定フレーム１１０の水平部１１１と固定プレート１５２との間に挿入されて、固定フレーム１１０の２本の補強リブ１５１の間でスライド可能に配置される。
【００４７】
スライド係止／解除手段１４０は、固定フレーム１１０の水平部１１１上に取り付けられている。スライド係止／解除手段１４０は、第２の係合部として円柱１４１と、円柱１４１に連結される棒形状の連結部１４４と、連結部１４４において円柱１４１の反対側に連結される操作部１４３と、操作部１４３を付勢する付勢部材としてバネ１４５と、円柱１４１と操作部１４３との間に挿入されるロック部材１４６とを含む。
【００４８】
スライド係止／解除手段１４０を構成する部材は次のような位置関係に配置される。円柱１４１が可動フレーム１２０の裏面１２４側に配置され、連結部１４４の下端が円柱１４１に連結され、連結部１４４の上端が操作部１４３に連結される。円柱１４１と操作部１４３との間には、固定プレート１５２とロック部材１４６とが挿入される。
【００４９】
バネ１４５は固定フレーム１１０の水平部１１１上に設置された、中空のバネ保持体１４８内に保持されている。バネ保持体１４８は補強リブ１５１を挟んで円柱１４１の両脇に配置されている。
【００５０】
円柱１４１は、水平部１１１上の２本の補強リブ１５１の間において、可動フレーム１２０の円形孔１３０と対向する位置に配置される。円柱１４１の側周面から垂直に突出するように、フランジ１４２が形成されている。フランジ１４２は、円柱１４１の上端部からの距離が円形孔１３０の深さとほぼ等しい位置に形成されている。円柱１４１の側周面は鉛直方向、すなわち、可動フレーム１２０のスライド方向に直交する方向に延びている。
【００５１】
操作部１４３は可動フレーム１２０の水平部１２１の表面１２３側に配置される。操作部１４３は中央部１４３ａと２つの翼部１４３ｂとを有する。２つの翼部１４３ｂは、中央部１４３ａから、可動フレーム１２０が延びる方向に直交する方向に沿って延びる。２つの翼部１４３ｂは、それぞれ、バネ１４５によって下から上に向かって付勢されている。
【００５２】
ロック部材１４６は、外縁が略矩形の板状に形成されており、中央部分に中央開口部１４６ａが開口されている。ロック部材１４６は、相対的に厚みの大きいロック部１４６ｂと、相対的に厚みの小さいロック解除部１４６ｃとを有する。ロック部１４６ｂは、ロック解除部１４６ｃの上面から厚みＤだけ突出している部分である。
【００５３】
円柱１４１に連結されている連結部１４４は、可動フレーム１２０のスリット１２５と固定プレート１５２の貫通孔１５３とロック部材１４６の中央開口部１４６ａとを通る。連結部１４４の上端は、操作部１４３の下面において中央部１４３ａに連結される。
【００５４】
図５と図６に示すように、固定フレーム１１０の水平部１１１上には可動フレーム１２０の水平部１２１がスライド可能に載せられている。可動フレーム１２０の上面の一部は固定プレート１５２によって覆われている。可動フレーム１２０は、固定プレート１５２と水平部１１１との間において、水平部１２１が延びる方向に沿ってスライド可能である。
【００５５】
可動フレーム１２０の円形孔１３０の内周側面は円柱１４１に接触する接触面として鉛直面１３０ａの一例であり、円柱１４１の側周面は円形孔１３０の内周面に接触する接触面として鉛直面１４１ａの一例である。円形孔１３０の鉛直面１３０ａと円柱１４１の鉛直面１４１ａとは対向している。
【００５６】
図７に示すように、補強リブ１５１と固定プレート１５２と固定フレーム１１０の水平部１１１とによって囲まれる空間内に可動フレーム１２０が配置されている。また、可動フレーム１２０の裏面１２４（水平部１２１の裏面と可動側脚部１２６の裏面とを含む）と固定フレーム１１０の水平部１１１とによって室１７０が形成されている。なお、室１７０の内部と外部とは連通されていてもよく、例えば、水平部１１１のうち円柱１４１と対向する部分が開放されていてもよい。すなわち、室１７０としては、円柱１４１が移動する側に空間があればよい。この実施形態においては、円柱１４１の下面と水平部１１１の上面との間には間隔が空けられている。
【００５７】
図６と図７に示すように、使用者によって操作部１４３が操作されていないときには、バネ１４５が操作部１４３を下から上に向かって付勢する。このとき、連結部１４４を介して操作部１４３に連結されている円柱１４１も下から上に向かって、すなわち、下から可動フレーム１２０の水平部１２１の裏面１２４の円形孔１３０に向かって付勢され、円柱１４１のフランジ１４２よりも上部が円形孔１３０内に収容され、円柱１４１と円形孔１３０とが係合する。円柱１４１と円形孔１３０とが係合している状態では、可動フレーム１２０は、固定フレーム１１０から遠ざかる方向にも固定フレーム１１０に近づく方向にもスライドされないように固定フレーム１１０上に係止される。
【００５８】
図８に示すように、使用者が、バネ１４５の付勢に抗して操作部１４３を下方向に押し込むと、操作部１４３に連結されている円柱１４１も下方向に移動し、円柱１４１と円形孔１３０との係合が解除される。室１７０は、下方向に移動した円柱１４１を収容することができるだけの広さを有する空間として形成されている。この実施形態において、操作部１４３の押し込みストローク、すなわち、操作部１４３を下方向に押し込むことができる深さは、円柱１４１が円形孔１３０と係合しているときのフランジ１４２の下面と水平部１１１の上面との距離に等しい。なお、操作部１４３は可動側脚部１２６の表面側に配置されてもよく、スライド係止／解除手段１４０は、操作部１４３を水平方向に沿って押し込むことにより円柱１４１が水平方向に沿って移動するように構成されていてもよい。
【００５９】
図９に示すように、下面が平坦に形成されているロック部材１４６をスライドさせて、ロック部材１４６のロック部１４６ｂが操作部１４３と固定プレート１５２との間に挟まれるようにすることによって、使用者は操作部１４３を下方向に押し込むことができなくなる。ロック部１４６ｂの厚みＤを操作部１４３の押し込みストロークと等しい大きさにすることによって、ロック部１４６ｂが操作部１４３と固定プレート１５２との間に挟まれているときに操作部１４３が押し込まれないようにすることができる。
【００６０】
以上のように構成される浴槽用手摺り１の使用方法について説明する。
【００６１】
浴槽の側壁に浴槽用手摺り１を取り付けるときには、まず、固定フレーム１１０と可動フレーム１２０が組み合され、固定押圧板１０４と可動押圧板１０５との間隔が浴槽の側壁の厚みよりも広くされた状態で、本体１００が浴槽の側壁上に配置される。本体１００は、固定フレーム１１０の水平部１１１の下面が浴槽の側壁の上面に接触し、固定押圧板１０４が浴槽の外側の側壁面（浴槽の側壁の外側面）に対向するように配置される。本体１００は、可動押圧板１０５が浴槽の内側の側壁面（浴槽の側壁の内側面）に対向するように配置される。
【００６２】
次に、使用者が本体１００の側部グリップ１６０を保持して、本体１００のカバー１０１上面に露出している操作部１４３の中央部１４３ａを下向きに押しながら、側部グリップ１６０を保持して、可動フレーム１２０の水平部１２１を、固定フレーム１１０の水平部１１１上で、浴槽の側壁面に直交する方向に沿ってスライドさせる。操作部１４３の中央部１４３ａが下向きに押し込まれることによって、円柱１４１が室１７０内で円形孔１３０から離れる方向に移動する。このようにして、円形孔１３０と円柱１４１の係合が解除され、可動フレーム１２０が容易にスライドされる。このようにして、固定押圧板１０４が浴槽の側壁の外側面に接触し、可動押圧板１０５が浴槽の側壁の内側面に接触するように、固定フレーム１１０と可動フレーム１２０の位置を調整する。
【００６３】
円形孔１３０には複数の円形孔が形成されている。円柱１４１と、どの円形孔１３０を嵌合させるのかを変更することによって、固定フレーム１１０と可動フレーム１２０との間の幅を調節することができる。
【００６４】
使用者は、必要があれば、ハンドルノブ１０７を回して、固定押圧板１０４と可動押圧板１０５とが浴槽の側壁に完全に接触するように、微調整することができる。このようにすることにより、浴槽用手摺り１を浴槽の側壁上に強固に固定することができる。
【００６５】
使用者は、最後に、ロック部材１４６のロック部１４６ｂが操作部１４３と固定プレート１５２との間に挿入されるように、ロック部材１４６を本体１００内に押し込む。このようにすることにより、浴槽用手摺り１の使用中に誤って操作部１４３が押し込まれて、可動フレーム１２０がスライドすることを防ぐことができる。
【００６６】
操作部１４３がロックされている状態では、上述のように、円柱１４１の突起と円形孔１３０とが係合している。このとき、円形孔１３０の鉛直面１３０ａと円柱１４１の鉛直面１４１ａとが対向している。そのため、使用者が、可動押圧板１０５を浴槽の側壁から遠ざけるように、あるいは、浴槽の側壁に近づけるように、可動フレーム１２０に力を加えても、鉛直面１３０ａと鉛直面１４１ａとが互いに押しつけられるので、可動フレーム１２０はスライドされない。
【００６７】
浴槽から浴槽用手摺り１を取り外すときには、使用者は、まず、ロック部材１４６を本体１００から引き出す方向に引く。このようにすることにより、ロック部材１４６のロック部１４６ｂが操作部１４３と固定プレート１５２との間から引き抜かれる。操作部１４３と固定プレート１５２との間には、相対的に厚みの小さいロック解除部１４６ｃが配置される。次に、本体１００のカバー１０１上面に露出している操作部１４３の中央部１４３ａを下向きに押しながら、側部グリップ１６０を保持して可動フレーム１２０を本体１００から引き出すようにスライドさせる。操作部１４３の中央部１４３ａが下向きに押し込まれることによって、円柱１４１が室１７０内で円形孔１３０から離れる方向に移動する。このようにして、円形孔１３０と円柱１４１の係合が解除され、可動フレーム１２０が容易にスライドされる。固定押圧板１０４と可動押圧板１０５との間隔が浴槽の側壁の厚みよりも広くなると、浴槽用手摺り１は浴槽の側壁から取り外される。
【００６８】
以上のように、浴槽用手摺り１は、固定フレーム１１０と、可動フレーム１２０と、円形孔１３０と、スライド係止／解除手段１４０と、室１７０とを備える。
【００６９】
固定フレーム１１０は、浴槽の側壁に配置される。可動フレーム１２０は、固定フレーム１１０へスライド可能に取り付けられ、そして固定フレーム１１０と反対側の浴槽の側壁に配置される。円形孔１３０は、凹部又は凸部を含み、可動フレーム１２０の水平部１２１の裏面１２４に形成されている。
【００７０】
スライド係止／解除手段１４０は、円柱１４１と、操作部１４３と、連結部１４４と、バネ１４５とを含む。円柱１４１は、凸部又は凹部を含み、円形孔１３０と対向する位置に配置される。操作部１４３は、可動フレーム１２０の表面１２３側に配置されて使用者が操作するためのものである。連結部１４４は、円柱１４１と操作部１４３とを連結するものである。バネ１４５は、円柱１４１を円形孔１３０へ係合させるように付勢するものである。スライド係止／解除手段１４０は、操作部１４３がバネ１４５による付勢に抗して可動フレーム１２０に向かって押し込まれるときに円柱１４１が円形孔１３０から離間されるように構成されている。スライド係止／解除手段１４０は、固定フレーム１１０に取り付けられている。
【００７１】
室１７０は、少なくとも、操作部１４３がバネ１４５に抗して押し込まれることにより円形孔１３０から離間された円柱１４１が収容される空間である。なお、この実施形態においては、室１７０は、円柱１４１が円形孔１３０から離間されるときだけでなく、円柱１４１が円形孔１３０に係合されているときにおいても、係合部材１３０を収容する。
【００７２】
第１実施形態の浴槽用手摺りにおいては、可動フレーム１２０は、スライド方向に沿って円柱１４１を挟むように配置される２つの可動側脚部１２６を含み、室１７０は、可動フレーム１２０において円形孔１３０が形成されている面と、可動側脚部１２６と、固定フレーム１１０において円形孔１３０に対向する面とによって囲まれている。
【００７３】
円形孔１３０と円柱１４１との接触面は、可動フレーム１２０の裏面に直交する面であり、かつ、可動フレーム１２０のスライド方向に非平行である鉛直面１３０ａ，１４１ａを含む。
【００７４】
円柱１４１は、バネ１４５によって、円形孔１３０へ係合されるように付勢されている。使用者が、操作部１４３を操作して、バネ１４５による付勢に抗してスライド係止／解除手段１４０を押し込むと、円柱１４１が円形孔１３０から離間される。上述のように、円柱１４１は、円形孔１３０から離間されたときにも室１７０内に収容されている。
【００７５】
スライド係止／解除手段１４０の円柱１４１は、円形孔１３０と係合するように、すなわち、可動フレーム１２０の裏面１２４と固定フレーム１１０との間に配置されている。円柱１４１は、連結部１４４によって可動フレーム１２０の表面１２３側に配置された操作部１４３と連結されているので、使用者は可動フレーム１２０の表面１２３側から操作部１４３を操作して、可動フレーム１２０の裏面１２４側の円柱１４１を円形孔１３０から離間することができる。このようにして、円形孔１３０または円柱１４１に使用者が触れることを防ぐことができる。
【００７６】
また、円形孔１３０と円柱１４１との接触面である鉛直面１３０ａ，１４１ａは、可動フレーム１２０の裏面に直交する面であり、かつ、可動フレーム１２０のスライド方向に非平行である面を含むので、使用者が操作部１４３を操作して、バネ１４５による付勢に抗してスライド係止／解除手段１４０を押し込み、可動フレーム１２０の裏面側の円柱１４１を円形孔１３０から離間しない限り、円形孔１３０と円柱１４１が可動フレーム１２０のスライド方向に非平行な面内で接触し、可動フレーム１２０のスライドを妨げる。このようにして、可動フレーム１２０が不用意にスライドされることを防ぐことができる。
【００７７】
使用者は、可動フレーム１２０を浴槽の壁面に近づける時にも、浴槽の壁面から遠ざける時にも、操作部１４３を操作してバネ１４５による付勢に抗してスライド係止／解除手段１４０を押し込むことで可動フレーム１２０をスライドさせることができる。このように、同じ操作で可動フレーム１２０をいずれの方向にもスライドさせることができるので、操作が容易である。
【００７８】
このようにすることにより、浴槽の側壁の厚みに合わせて固定することが容易であって、浴槽の側壁への取り付け作業と浴槽の側壁からの取り外し作業とを安全に、容易に行うことが可能な浴槽用手摺り１を提供することができる。
【００７９】
また、浴槽用手摺り１においては、円形孔１３０は円筒の側周面形状の凹部であり、円形孔１３０の鉛直面１３０ａと円柱１４１の鉛直面１４１ａは、円筒の側周面形状を有する。
【００８０】
このようにすることにより、可動フレーム１２０のスライド中に円柱１４１が周方向に回転しても、円柱１４１が円形孔１３０に容易に受容される。
【００８１】
また、浴槽用手摺り１においては、可動フレーム１２０は、表面１２３と裏面１２４を貫通してスライド方向に延びたスリット１２５を備える。連結部１４４は、スリット１２５を通って円柱１４１と操作部１４３とを連結する。
【００８２】
このようにすることにより、可動フレーム１２０の表面１２３側に配置される操作部１４３と、可動フレーム１２０の裏面１２４側に配置される円柱１４１とを連結部１４４によって連結することが容易になる。
【００８３】
浴槽用手摺り１においては、スリット１２５は、その周縁が閉じている開口である。
【００８４】
このようにすることにより、可動フレーム１２０をスライドさせると、連結部１４４は相対的に、スリット１２５の周縁の内側で移動することとなり、固定フレーム１１０上における可動フレーム１２０のスライド範囲を規制することができる。
【００８５】
なお、この実施の形態においては、円形孔１３０は円形孔１３０によって形成され、第２の係合部は円柱１４１によって形成されているが、例えば、円形孔１３０が可動フレームの裏面から下向きに突出した円柱形状の凸部であり、第２の係合部が円柱を収容可能な、円柱の側周面形状の凹部であってもよい。
【００８６】
（第２実施形態）
本発明の第２実施形態の浴槽用手摺りは、第１実施形態の浴槽用手摺りとは異なる形態のスライド係止／解除手段と、可動側脚部の間に配置される２本の補強リブとを備える。以下、第１実施形態の浴槽用手摺りと異なる点を中心に詳述する。
【００８７】
図１０と図１１に示すように、第２実施形態の浴槽用手摺りの固定フレーム１１０の水平部１１１の上面には４本の補強リブ１５１と、２本の補強リブ２５１が形成されている。補強リブ１５１の上面には、固定プレート１５２が取り付けられている。補強リブ１５１は、固定押圧板１０４平面に直交する方向に沿って延びている。この実施形態においては、４本の補強リブ１５１は互いに平行に形成されている。固定プレート１５２は、板状に形成されており、４本の補強リブ１５１のうち、内側の２本の補強リブ１５１の間にわたされて、補強リブ１５１上に固定されている。補強リブ１５１によって、固定プレート１５２の下面と水平部１１１の上面とは離間されている。固定プレート１５２には、固定プレート１５２の上面と下面とを貫通する貫通孔１５３が形成されている。
【００８８】
４本の補強リブ１５１のうち、内側の２本の間に、さらに２本の補強リブ２５１が形成されている。２本の補強リブ２５１のいずれも、補強リブ１５１と平行に形成されている。補強リブ２５１は、補強リブ１５１よりも高さが低い。２本の補強リブ２５１の間には、後述するスライド係止／解除手段２４０の円柱２４１を収容するための孔が形成されている。２本の補強リブ２５１は、固定側脚部の一例である。
【００８９】
可動フレーム１２０の水平部１２１の裏面１２４からは２つの可動側脚部１２６が突出している。可動側脚部１２６は、水平部１２１において、鉛直部１２２の平面に直交する方向に沿って延びる端部を下向きに折り返したような形状に形成されている。２つの可動側脚部１２６は間隔を空けて形成され、それぞれ、鉛直部１２２に直交する方向に沿って、すなわち、水平部１２１が延びる方向に沿って延びている。
【００９０】
固定フレーム１１０と可動フレーム１２０は、固定押圧板１０４と可動押圧板１０５が浴槽の側壁（図示しない）を挟んで対向し、固定フレーム１１０の水平部１１１と可動フレーム１２０の水平部１２１が対向するように配置される。可動フレーム１２０の水平部１２１は、固定フレーム１１０の水平部１１１と固定プレート１５２との間にスライド可能に挿入される。このとき、第１実施形態の浴槽用手摺りと異なり、補強リブ１５１と可動側脚部１２６は、所定の間隔Ｘだけ離間されている。また、２本の可動側脚部１２６の内側の面（向かい合う面）は、２本の補強リブ２５１の外側の面（外側の側面）に摺接するように配置されている。すなわち、可動フレーム１２０がスライドされるときには、可動側脚部１２６は、２本の可動側脚部１２６の間に挟まれた補強リブ２５１によってスライド方向が規制されている。
【００９１】
第２実施形態の浴槽用手摺りのスライド係止／解除手段２４０は、固定フレーム１１０の水平部１１１上に取り付けられている。スライド係止／解除手段２４０は、第２の係合部として円柱２４１と、円柱２４１に連結される棒形状の連結部２４４と、連結部２４４において円柱２４１の反対側に連結される操作部２４３と、操作部２４３を付勢する付勢部材としてバネ２４５と、円柱２４１と操作部２４３との間に挿入されるロック部材１４６とを含む。ロック部材１４６は第１実施形態の浴槽用手摺りのロック部材と同様である。
【００９２】
スライド係止／解除手段２４０を構成する部材は次のような位置関係に配置される。円柱２４１が可動フレーム１２０の裏面１２４側に配置され、連結部２４４の下端が円柱２４１に連結され、連結部２４４の上端が操作部２４３に連結される。円柱２４１と操作部２４３との間には、固定プレート１５２とロック部材１４６とが挿入される。
【００９３】
バネ２４５は固定プレート１５２と操作部２４３との間において、ロック部材１４６の中央開口部１４６ａ内に保持されている。
【００９４】
円柱２４１は、水平部１１１上の２本の補強リブ２５１の間において、可動フレーム１２０の円形孔１３０と対向する位置に配置される。円柱２４１の側周面から垂直に突出するように、フランジ２４２が形成されている。フランジ２４２は、円柱２４１の上端部からの距離が円形孔１３０の深さとほぼ等しい位置に形成されている。円柱２４１の側周面２４１ａは鉛直方向、すなわち、可動フレーム１２０のスライド方向に直交する方向に延びている。円柱２４１の側周面２４１ａは、鉛直面の一例であり、また、可動フレーム１２０の円形孔１３０の内周側面である鉛直面１３０ａに接触する接触面である。
【００９５】
操作部２４３は可動フレーム１２０の水平部１２１の表面１２３側に配置される。操作部２４３は、第１実施形態とは異なり、翼部を有していない。操作部２４３は、バネ２４５によって下から上に向かって付勢されている。
【００９６】
円柱２４１に連結されている連結部２４４は、可動フレーム１２０のスリット１２５と固定プレート１５２の貫通孔１５３とロック部材１４６の中央開口部１４６ａとを通る。連結部２４４の上端は、操作部２４３の下面に連結される。
【００９７】
図１１に示すように、補強リブ１５１と固定プレート１５２と固定フレーム１１０の水平部１１１とによって囲まれる空間内に可動フレーム１２０が配置されている。また、可動フレーム１２０の裏面１２４（水平部１２１の裏面と可動側脚部１２６の裏面とを含む）と固定フレーム１１０の水平部１１１と補強リブ２５１とによって室１７０が形成されている。なお、室１７０の内部と外部とは連通されていてもよく、例えば、水平部１１１のうち円柱２４１と対向する部分が開放されていてもよい。すなわち、室１７０としては、円柱２４１が移動する側に空間があればよい。この実施形態においては、水平部１１１において円柱２４１に対向する部分は開放されている。
【００９８】
図１１に示すように、使用者によって操作部２４３が操作されていないときには、バネ２４５が操作部２４３を下から上に向かって付勢する。このとき、連結部２４４を介して操作部２４３に連結されている円柱２４１も下から上に向かって、すなわち、下から可動フレーム１２０の水平部１２１の裏面１２４の円形孔１３０に向かって付勢され、円柱２４１のフランジ２４２よりも上部が円形孔１３０内に収容され、円柱２４１と円形孔１３０とが係合する。円柱２４１と円形孔１３０とが係合している状態では、可動フレーム１２０は、固定フレーム１１０から遠ざかる方向にも固定フレーム１１０に近づく方向にもスライドされないように固定フレーム１１０上に係止される。
【００９９】
使用者が、バネ２４５の付勢に抗して操作部２４３を下方向に押し込むと、操作部２４３に連結されている円柱２４１も下方向に移動し、円柱２４１と円形孔１３０との係合が解除される。室１７０は、下方向に移動した円柱２４１を収容することができるだけの広さを有する空間として形成されている。この実施形態において、操作部２４３の押し込みストローク、すなわち、操作部２４３を下方向に押し込むことができる深さは、円柱２４１が円形孔１３０と係合しているときのフランジ２４２の下面と水平部１１１の上面との距離に等しい。なお、操作部２４３は可動側脚部１２６の表面側に配置されてもよく、スライド係止／解除手段２４０は、操作部２４３を水平方向に沿って押し込むことにより円柱２４１が水平方向に沿って移動するように構成されていてもよい。
【０１００】
以上のように、第２実施形態の浴槽用手摺りにおいては、固定フレーム１１０は、可動フレーム１２０のスライド方向に沿って円柱２４１を挟むように配置される２つの補強リブ２５１を含み、可動フレーム１２０は、スライド方向に沿って２つの補強リブ２５１を挟むように配置される２つの可動側脚部１２６を含む。室１７０は、可動フレーム１２０において円形孔１３０が形成されている面と、可動側脚部１２６および／または補強リブ２５１と、固定フレーム１１０において円形孔１３０に対向する面とによって囲まれている。補強リブ２５１は、スライド方向と平行な方向に長い補強リブであり、２つの可動側脚部１２６の間において形成されている。また、２つの可動側脚部１２６の内側の面は、２本の補強リブ２５１の外側の面に摺接するように配置されている。
【０１０１】
このようにすることにより、補強リブ１５１と可動側脚部１２６との間に所定の間隔Ｘを設けても、２本の可動側脚部１２６の間に配置されて可動側脚部１２６に摺接する補強リブ２５１によって可動フレーム１２０のスライド方向が規制される。そのため、４本の補強リブ１５１の間隔や太さは、可動側脚部１２６の間隔によらず、自由に設計可能である。
【０１０２】
このように補強リブ２５１を可動側脚部１２６の間に配置すると、固定フレーム１１０には、水平部１１１と鉛直部１１２とに亘って補強リブ２５１が形成されており、補強リブ２５１上に可動フレーム１２０が係止されるので、使用者が側部グリップ１６０を掴んで浴槽の出入りをする時、鉛直面内においてかかる荷重に対する固定フレーム１１０の強度を向上させることができる。可動フレーム１２０には２つの脚部１２６が形成されていることによって、同様に、鉛直面内においてかかる荷重に対する可動フレーム１２０の強度が向上する。また、可動フレーム１２０が固定フレーム１１０に取り付けられた状態において、２つの脚部１２６は補強リブ２５１に対向するように配置され、２つの補強リブ２５１と摺接するようにそれぞれの補強リブ２５１の外側から挟むので、水平面内において、可動フレーム１２０の鉛直部１２２に平行な方向に可動フレーム１２０ががたつくことを抑えることができるとともに、固定フレーム１１０と可動フレーム１２０には鉛直面内において荷重がかかる時に強度が低下することを防ぐことができる。
【０１０３】
また、補強リブ１５１と可動側脚部１２６の間に間隔Ｘを設けることにより、可動フレーム１２０をスライドさせても、可動フレーム１２０の外側（表面側）の側面が補強リブ１５１と摺接することがないため、外部に露出して視認されやすい可動フレーム１２０の外側（表面側）の側面に疵が付くことを防止することができる。
【０１０４】
なお、この実施形態においては、室１７０は、可動フレーム１２０において円形孔１３０が形成されている面と、可動側脚部１２６および補強リブ２５１と、固定フレーム１１０において円形孔１３０に対向する面とによって囲まれているが、例えば固定側脚部としての補強リブの上端が可動フレーム１２０の裏面に接触する場合には、室は、可動フレーム１２０において円形孔１３０が形成されている面と、補強リブ（固定側脚部）と、固定フレーム１１０において円形孔１３０に対向する面とによって囲まれて形成される。
【０１０５】
第２実施形態の浴槽用手摺りのその他の構成と効果は第１実施形態の浴槽用手摺りと同様である。
【０１０６】
（第３実施形態）
本発明の第３実施形態の浴槽用手摺りは、２本の可動側脚部の間に配置される、第２実施形態の浴槽用手摺りとは異なる形態の１本の補強リブを備える。以下、第１実施形態および第２実施形態の浴槽用手摺りと異なる点を中心に説明する。
【０１０７】
図１２と図１３に示すように、第３実施形態の浴槽用手摺りの固定フレーム１１０の水平部１１１の上面には４本の補強リブ１５１と、１本の補強リブ３５１が形成されている。
【０１０８】
いずれの補強リブ１５１，３５１も、固定押圧板１０４平面に直交する方向、すなわち、可動フレームのスライド方向と平行な方向に沿って延びている。この実施形態においては、４本の補強リブ１５１は互いに平行に形成されている。４本の補強リブ１５１のうち、内側の２本の間に、さらに１本の補強リブ３５１が形成されている。補強リブ３５１は、補強リブ１５１よりも高さが低い。補強リブ３５１の上面には、後述するスライド係止／解除手段２４０の円柱２４１を収容するための開口部３５１ａが形成されている。補強リブ３５１は、固定側脚部の一例である。
【０１０９】
固定プレート１５２は、板状に形成されており、４本の補強リブ１５１のうち、内側の２本の補強リブ１５１の間にわたされて、補強リブ１５１上に固定されている。補強リブ１５１によって、固定プレート１５２の下面と水平部１１１の上面とは離間されている。固定プレート１５２には、固定プレート１５２の上面と下面とを貫通する貫通孔１５３が形成されている。
【０１１０】
可動フレーム１２０の水平部１２１の裏面１２４からは２つの可動側脚部１２６が突出している。可動側脚部１２６は、水平部１２１において、鉛直部１２２の平面に直交する方向に沿って延びる端部を下向きに折り返したような形状に形成されている。２つの可動側脚部１２６は間隔を空けて形成され、それぞれ、鉛直部１２２に直交する方向に沿って、すなわち、水平部１２１が延びる方向に沿って延びている。
【０１１１】
固定フレーム１１０と可動フレーム１２０は、固定押圧板１０４と可動押圧板１０５が浴槽の側壁（図示しない）を挟んで対向し、固定フレーム１１０の水平部１１１と可動フレーム１２０の水平部１２１が対向するように配置される。可動フレーム１２０の水平部１２１は、固定フレーム１１０の水平部１１１と固定プレート１５２との間にスライド可能に挿入される。このとき、第１実施形態の浴槽用手摺りと異なり、補強リブ１５１と可動側脚部１２６は、所定の間隔Ｘだけ離間されている。また、２本の可動側脚部１２６の内側の面（向かい合う面）は、補強リブ３５１の外側の面に摺接するように配置されている。すなわち、可動フレーム１２０がスライドされるときには、可動側脚部１２６は、２本の可動側脚部１２６の間に挟まれた補強リブ３５１によってスライド方向が規制されている。
【０１１２】
第３実施形態の浴槽用手摺りのスライド係止／解除手段２４０は、固定フレーム１１０の水平部１１１上に取り付けられている。スライド係止／解除手段２４０は、第２の係合部として円柱２４１と、円柱２４１に連結される棒形状の連結部２４４と、連結部２４４において円柱２４１の反対側に連結される操作部２４３と、操作部２４３を付勢する付勢部材としてバネ２４５と、円柱２４１と操作部２４３との間に挿入されるロック部材１４６とを含む。ロック部材１４６は第１実施形態の浴槽用手摺りのロック部材と同様である。
【０１１３】
スライド係止／解除手段２４０を構成する部材は次のような位置関係に配置される。円柱２４１が可動フレーム１２０の裏面１２４側に配置され、連結部２４４の下端が円柱２４１に連結され、連結部２４４の上端が操作部２４３に連結される。円柱２４１と操作部２４３との間には、固定プレート１５２とロック部材１４６とが挿入される。
【０１１４】
バネ２４５は固定プレート１５２と操作部２４３との間において、ロック部材１４６の中央開口部１４６ａ内に保持されている。
【０１１５】
円柱２４１は、水平部１１１上の補強リブ３５１の上面に形成された開口部３５１ａの位置において、可動フレーム１２０の円形孔１３０と対向する位置に配置される。円柱２４１の側周面から垂直に突出するように、フランジ２４２が形成されている。フランジ２４２は、円柱２４１の上端部からの距離が円形孔１３０の深さとほぼ等しい位置に形成されている。円柱２４１の側周面２４１ａは鉛直方向、すなわち、可動フレーム１２０のスライド方向に直交する方向に延びている。円柱２４１の側周面２４１ａは、鉛直面の一例であり、また、可動フレーム１２０の円形孔１３０の内周側面である鉛直面１３０ａに接触する接触面である。
【０１１６】
操作部２４３は可動フレーム１２０の水平部１２１の表面１２３側に配置される。操作部２４３は、第１実施形態とは異なり、翼部を有していない。操作部２４３は、バネ２４５によって下から上に向かって付勢されている。
【０１１７】
円柱２４１に連結されている連結部２４４は、可動フレーム１２０のスリット１２５と固定プレート１５２の貫通孔１５３とロック部材１４６の中央開口部１４６ａとを通る。連結部２４４の上端は、操作部２４３の下面に連結される。
【０１１８】
図１３に示すように、補強リブ３５１と固定プレート１５２と固定フレーム１１０の水平部１１１とによって囲まれる空間内に可動フレーム１２０が配置されている。また、可動フレーム１２０の裏面１２４（水平部１２１の裏面と可動側脚部１２６の裏面とを含む）と補強リブ３５１に設けられた開口部３５１ａの内壁面とによって室１７０が形成されている。なお、室１７０の内部と外部とは連通されていてもよく、例えば、水平部１１１のうち円柱２４１と対向する部分が開放されていてもよい。すなわち、室１７０としては、円柱２４１が移動する側に空間があればよい。この実施形態においては、水平部１１１において円柱２４１に対向する部分は開放されている。
【０１１９】
図１３に示すように、使用者によって操作部２４３が押し込まれていないときには、バネ２４５が操作部２４３を下から上に向かって付勢する。このとき、連結部２４４を介して操作部２４３に連結されている円柱２４１も下から上に向かって、すなわち、下から可動フレーム１２０の水平部１２１の裏面１２４の円形孔１３０に向かって付勢され、円柱２４１のフランジ２４２よりも上部が円形孔１３０内に収容され、円柱２４１と円形孔１３０とが係合する。円柱２４１と円形孔１３０とが係合している状態では、可動フレーム１２０は、固定フレーム１１０から遠ざかる方向にも固定フレーム１１０に近づく方向にもスライドされないように固定フレーム１１０上に係止される。
【０１２０】
使用者が、バネ２４５の付勢に抗して操作部２４３を下方向に押し込むと、操作部２４３に連結されている円柱２４１も下方向に移動し、円柱２４１と円形孔１３０との係合が解除される。室１７０は、下方向に移動した円柱２４１を収容することができるだけの広さを有する空間として形成されている。この実施形態において、操作部２４３の押し込みストローク、すなわち、操作部２４３を下方向に押し込むことができる深さは、円柱２４１が円形孔１３０と係合しているときのフランジ２４２の下面と水平部１１１の上面との距離に等しい。なお、操作部２４３は可動側脚部１２６の表面側に配置されてもよく、スライド係止／解除手段２４０は、操作部２４３を水平方向に沿って押し込むことにより円柱２４１が水平方向に沿って移動するように構成されていてもよい。
【０１２１】
以上のように、第３実施形態の浴槽用手摺りにおいては、固定フレーム１１０は、円柱２４１を収容するための開口部３５１ａを有し且つ可動フレーム１２０のスライド方向に沿って配置される１つの補強リブ３５１を含み、可動フレーム１２０は、スライド方向に沿って補強リブ３５１を挟むように配置される２つの可動側脚部１２６を含む。室１７０は、可動フレーム１２０において円形孔１３０が形成されている面と、可動側脚部１２６および／または補強リブ３５１に設けられた開口部３５１ａの内壁面と、固定フレーム１１０において円形孔１３０に対向する面、すなわち、補強リブ３５１の上面とによって囲まれている。補強リブ３５１は、スライド方向と平行な方向に長い補強リブであり、２つの可動側脚部１２６の間において形成されている。また、２つの可動側脚部１２６の内側の面は、補強リブ３５１の外側の面のうち、側面に摺接するように配置されている。
【０１２２】
このようにすることにより、補強リブ１５１と可動側脚部１２６との間に所定の間隔Ｘを設けても、２本の可動側脚部１２６の間に配置されて可動側脚部１２６に摺接する補強リブ３５１によって可動フレーム１２０のスライド方向が規制される。そのため、４本の補強リブ１５１の間隔や太さは、可動側脚部１２６の間隔によらず、自由に設計可能である。
【０１２３】
このように補強リブ３５１を可動側脚部１２６の間に配置すると、固定フレーム１１０には、水平部１１１と鉛直部１１２とに亘って補強リブ３５１が形成されており、補強リブ３５１上に可動フレーム１２０が係止されるので、使用者が側部グリップ１６０を掴んで浴槽の出入りをする時、鉛直面内においてかかる荷重に対する固定フレーム１１０の強度を向上させることができる。可動フレーム１２０には２つの脚部１２６が形成されていることによって、同様に、鉛直面内においてかかる荷重に対する可動フレーム１２０の強度が向上する。また、可動フレーム１２０が固定フレーム１１０に取り付けられた状態において、２つの脚部１２６は補強リブ３５１に対向するように配置され、補強リブ２５１と摺接するように補強リブ３５１を外側から挟むので、水平面内において、可動フレーム１２０の鉛直部１２２に平行な方向に可動フレーム１２０ががたつくことを抑えることができるとともに、固定フレーム１１０と可動フレーム１２０には鉛直面内において荷重がかかる時に強度が低下することを防ぐことができる。
【０１２４】
また、補強リブ１５１と可動側脚部１２６の間に間隔Ｘを設けることにより、可動フレーム１２０をスライドさせても、可動フレーム１２０の側面が補強リブ１５１と摺接することがないため、外部に露出して視認されやすい可動フレーム１２０の側面に疵が付くことを防止することができる。
【０１２５】
なお、この実施形態においては、室１７０は、可動フレーム１２０において円形孔１３０が形成されている面と、可動側脚部１２６および補強リブ３５１に設けられた開口部３５１ａの内壁面と、固定フレーム１１０において円形孔１３０に対向する面とによって囲まれているが、例えば固定側脚部としての補強リブの上端が可動フレーム１２０の裏面に接触する場合には、室は、可動フレーム１２０において円形孔１３０が形成されている面と、補強リブ（固定側脚部）に設けられた開口部の内壁面と、固定フレーム１１０において円形孔１３０に対向する面とによって囲まれて形成される。
【０１２６】
第３実施形態の浴槽用手摺りのその他の構成と効果は第１実施形態および第２実施形態の浴槽用手摺りと同様である。
【０１２７】
以上に開示された実施の形態はすべての点で例示であって制限的なものではないと考慮されるべきである。本発明の範囲は、以上の説明ではなく、請求の範囲によって示され、請求の範囲と均等の意味および範囲内でのすべての変形を含むものである。
【符号の説明】
【０１２８】
１：浴槽用手摺り、１１０：固定フレーム、１１１：水平部、１１２：鉛直部、１２０：可動フレーム、１２１：水平部、１２２：鉛直部、１２３：表面、１２４：裏面、１２５：スリット、１２６：可動側脚部、１３０：円形孔、１３０ａ：鉛直面、１４０，２４０：スライド係止／解除手段、１４１，２４１：円柱、１４１ａ，２４１ａ：鉛直面、１４２，２４２：フランジ、１４３，２４３：操作部、１４４，２４４：連結部、１４５，２４５：バネ、１４６：ロック部材、１４６ｂ：ロック部、１５１：補強リブ、１５２：固定プレート、１７０：室、２５１，３５１：補強リブ、３５１ａ：開口部。
【図１】
2015223438.tif 000003
【図２】
2015223438.tif 000004
【図３】
2015223438.tif 000005
【図４】
2015223438.tif 000006
【図５】
2015223438.tif 000007
【図６】
2015223438.tif 000008
【図７】
2015223438.tif 000009
【図８】
2015223438.tif 000010
【図９】
2015223438.tif 000011
【図１０】
2015223438.tif 000012
【図１１】
2015223438.tif 000013
【図１２】
2015223438.tif 000014
【図１３】
2015223438.tif 000015
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
浴槽の側壁に配置される固定フレームと、
前記固定フレームへスライド可能に取り付けられ、そして前記固定フレームと反対側の浴槽の側壁に配置される可動フレームと、
凹部又は凸部を含み、前記可動フレームの裏面に形成された第１の係合部と、そして、
凸部又は凹部を含み、前記第１の係合部と対向する位置に配置される第２の係合部と、
前記可動フレームの表面側に配置されて使用者が操作するための操作部と、
前記第２の係合部と前記操作部とを連結する連結部と、そして
前記第２の係合部を前記第１の係合部へ係合させるように付勢する付勢手段とを含み、
前記操作部が前記付勢手段による付勢に抗して可動フレームに向かって押し込まれることにより前記第２の係合部が前記第１の係合部から離間されるように構成された、前記固定フレームへ取り付けられたスライド係止／解除手段と、
少なくとも前記操作部が前記付勢手段に抗して押し込まれるときに前記第２の係合部が収容される室とを備え、
前記第１の係合部と前記第２の係合部との接触面は、前記可動フレームの裏面に直交する面であり、かつ、前記可動フレームのスライド方向に非平行である面（ただし、スライド方向に直交する面を除く）を含む、浴槽用手摺り。
【請求項２】
前記第１の係合部の凹部又は凸部において前記第２の係合部に接触する面と、前記第２の係合部の凸部又は凹部において前記第１の係合部に接触する面とは、円筒の側周面形状を有する、請求項１に記載の浴槽用手摺り。
【請求項３】
前記第２の係合部は円柱形状の凸部を含み、前記第１の係合部は前記第２の係合部の凸部を受容する円筒の側周面形状の凹部を含む、請求項２に記載の浴槽用手摺り。
【請求項４】
前記第１の係合部の凹部は、底を有する、請求項３に記載の浴槽用手摺り。
【請求項５】
前記第２の係合部の凸部は、フランジを有する、請求項３に記載の浴槽用手摺り。
【請求項６】
前記可動フレームは、表裏面を貫通してスライド方向に延びたスリットを備え、前記連結部は、前記スリットを通って前記第２の係合部と前記操作部とを連結している、請求項１から請求項５までのいずれか１項に記載の浴槽用手摺り。
【請求項７】
前記スリットは、その周縁が閉じている開口である、請求項６に記載の浴槽用手摺り。
【請求項８】
前記可動フレームは、前記第１の係合部および／または前記第２の係合部を挟むようにスライド方向に沿って配置される２つの可動側脚部を含み、
前記室は、前記可動フレームにおいて前記第１の係合部が形成されている面と、前記可動側脚部と、前記固定フレームにおいて前記第１の係合部に対向する面とによって囲まれている、請求項１から請求項７までのいずれか１項に記載の浴槽用手摺り。
【請求項９】
前記固定フレームは、前記第１の係合部および／または前記第２の係合部を挟むようにスライド方向に沿って配置される２つの固定側脚部を含み、
前記室は、前記可動フレームにおいて前記第１の係合部が形成されている面と、前記固定側脚部と、前記固定フレームにおいて前記第１の係合部に対向する面とによって囲まれている、請求項１から請求項７までのいずれか１項に記載の浴槽用手摺り。
【請求項１０】
前記固定フレームは、スライド方向に沿って前記第１の係合部および／または前記第２の係合部を挟むように配置される２つの固定側脚部を含み、
前記可動フレームは、スライド方向に沿って前記第１の係合部および／または前記第２の係合部を挟むように配置される２つの可動側脚部を含み、
前記室は、前記可動フレームにおいて前記第１の係合部が形成されている面と、前記可動側脚部および／または前記固定側脚部と、前記固定フレームにおいて前記第１の係合部に対向する面とによって囲まれている、請求項１から請求項７までのいずれか１項に記載の浴槽用手摺り。
【請求項１１】
２つの前記可動側脚部は、２つの前記固定側脚部を挟むように配置されている、請求項１０に記載の浴槽用手摺り。
【請求項１２】
２つの前記可動側脚部の内側の面は、２つの前記固定側脚部の外側の面に摺接するように配置されている、請求項１０に記載の浴槽用手摺り。
【請求項１３】
前記固定フレームは、前記第１の係合部および／または前記第２の係合部を挟むようにスライド方向に沿って配置される固定側脚部を含み、
前記固定側脚部は、前記第１の係合部に対向する位置に開口部を有し、
前記室は、前記可動フレームにおいて前記第１の係合部が形成されている面と、前記開口部の内壁面と、前記固定フレームにおいて前記第１の係合部に対向する面とによって囲まれている、請求項１から請求項７までのいずれか１項に記載の浴槽用手摺り。
【請求項１４】
前記可動フレームは、スライド方向に沿って前記固定側脚部を挟むように配置される２つの可動側脚部を含み、
前記室は、前記可動フレームにおいて前記第１の係合部が形成されている面と、前記可動側脚部および／または前記固定側脚部と、前記固定フレームにおいて前記第１の係合部に対向する面とによって囲まれている、請求項１３に記載の浴槽用手摺り。
【請求項１５】
２つの前記可動側脚部の内側の面は、前記固定側脚部の外側の面に摺接するように配置されている、請求項１４に記載の浴槽用手摺り。
【請求項１６】
前記固定側脚部は、可動フレームのスライド方向と平行な方向に延びた補強リブである、請求項９から請求項１５までのいずれか１項に記載の浴槽用手摺り。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
浴槽の側壁に配置される固定フレームと、
前記固定フレームへスライド可能に取り付けられ、そして前記固定フレームと反対側の浴槽の側壁に配置される可動フレームと、
凹部又は凸部を含み、前記可動フレームの裏面に形成された第１の係合部と、そして、
凸部又は凹部を含み、前記第１の係合部と対向する位置に配置される第２の係合部と、
前記可動フレームの表面側に配置されて使用者が操作するための操作部と、
前記第２の係合部と前記操作部とを連結する連結部と、そして
前記第２の係合部を前記第１の係合部へ係合させるように付勢する付勢手段とを含み、
前記操作部が前記付勢手段による付勢に抗して可動フレームに向かって押し込まれることにより前記第２の係合部が前記第１の係合部から離間されるように構成された、前記固定フレームへ取り付けられたスライド係止／解除手段と、
少なくとも前記操作部が前記付勢手段に抗して押し込まれるときに前記第２の係合部が収容される室とを備え、
前記第１の係合部と前記第２の係合部との接触面は、円柱の側面形状または多角柱の側面形状を有しており、かつ、前記可動フレームの裏面に直交する面であり、かつ、前記可動フレームのスライド方向に非平行である面を含む、浴槽用手摺り。
【請求項２】
前記第１の係合部の凹部又は凸部において前記第２の係合部に接触する面と、前記第２の係合部の凸部又は凹部において前記第１の係合部に接触する面とは、円筒の側周面形状を有する、請求項１に記載の浴槽用手摺り。
【請求項３】
前記第２の係合部は円柱形状の凸部を含み、前記第１の係合部は前記第２の係合部の凸部を受容する円筒の側周面形状の凹部を含む、請求項２に記載の浴槽用手摺り。
【請求項４】
前記第１の係合部の凹部は、底を有する、請求項３に記載の浴槽用手摺り。
【請求項５】
前記第２の係合部の凸部は、フランジを有する、請求項３に記載の浴槽用手摺り。
【請求項６】
前記可動フレームは、表裏面を貫通してスライド方向に延びたスリットを備え、前記連結部は、前記スリットを通って前記第２の係合部と前記操作部とを連結している、請求項１から請求項５までのいずれか１項に記載の浴槽用手摺り。
【請求項７】
前記スリットは、その周縁が閉じている開口である、請求項６に記載の浴槽用手摺り。
【請求項８】
前記可動フレームは、前記第１の係合部および／または前記第２の係合部を挟むようにスライド方向に沿って配置される２つの可動側脚部を含み、
前記室は、前記可動フレームにおいて前記第１の係合部が形成されている面と、前記可動側脚部と、前記固定フレームにおいて前記第１の係合部に対向する面とによって囲まれている、請求項１から請求項７までのいずれか１項に記載の浴槽用手摺り。
【請求項９】
前記固定フレームは、前記第１の係合部および／または前記第２の係合部を挟むようにスライド方向に沿って配置される２つの固定側脚部を含み、
前記室は、前記可動フレームにおいて前記第１の係合部が形成されている面と、前記固定側脚部と、前記固定フレームにおいて前記第１の係合部に対向する面とによって囲まれている、請求項１から請求項７までのいずれか１項に記載の浴槽用手摺り。
【請求項１０】
前記固定フレームは、スライド方向に沿って前記第１の係合部および／または前記第２の係合部を挟むように配置される２つの固定側脚部を含み、
前記可動フレームは、スライド方向に沿って前記第１の係合部および／または前記第２の係合部を挟むように配置される２つの可動側脚部を含み、
前記室は、前記可動フレームにおいて前記第１の係合部が形成されている面と、前記可動側脚部および／または前記固定側脚部と、前記固定フレームにおいて前記第１の係合部に対向する面とによって囲まれている、請求項１から請求項７までのいずれか１項に記載の浴槽用手摺り。
【請求項１１】
２つの前記可動側脚部は、２つの前記固定側脚部を挟むように配置されている、請求項１０に記載の浴槽用手摺り。
【請求項１２】
２つの前記可動側脚部の内側の面は、２つの前記固定側脚部の外側の面に摺接するように配置されている、請求項１０に記載の浴槽用手摺り。
【請求項１３】
前記固定フレームは、前記第１の係合部および／または前記第２の係合部を挟むようにスライド方向に沿って配置される固定側脚部を含み、
前記固定側脚部は、前記第１の係合部に対向する位置に開口部を有し、
前記室は、前記可動フレームにおいて前記第１の係合部が形成されている面と、前記開口部の内壁面と、前記固定フレームにおいて前記第１の係合部に対向する面とによって囲まれている、請求項１から請求項７までのいずれか１項に記載の浴槽用手摺り。
【請求項１４】
前記可動フレームは、スライド方向に沿って前記固定側脚部を挟むように配置される２つの可動側脚部を含み、
前記室は、前記可動フレームにおいて前記第１の係合部が形成されている面と、前記可動側脚部および／または前記固定側脚部と、前記固定フレームにおいて前記第１の係合部に対向する面とによって囲まれている、請求項１３に記載の浴槽用手摺り。
【請求項１５】
２つの前記可動側脚部の内側の面は、前記固定側脚部の外側の面に摺接するように配置されている、請求項１４に記載の浴槽用手摺り。
【請求項１６】
前記固定側脚部は、可動フレームのスライド方向と平行な方向に延びた補強リブである、請求項９から請求項１５までのいずれか１項に記載の浴槽用手摺り。